(57)【要約】【課題】自己着火燃焼のリタード可能な期間を拡大させる。【解決手段】エンジン１は、インジェクタ３３により気筒内に噴射された、少なくともガソリンを含有する燃料を自己着火させる。エンジン１は、幾何学的圧縮比が、１５以上であり、インジェクタ３３による燃料噴射を制御するエンジン制御器１００を備えている。エンジン制御器１００は、燃料が熱炎反応に至らずに酸化反応をする量の燃料を噴射して、圧縮上死点以降の筒内温度の変動を所定の温度幅に収める前段噴射と、前段噴射よりも後に燃料を噴射して、圧縮上死点以降であって筒内温度の変動が所定の温度幅に収まっている間に燃料を自己着火燃焼させる主噴射とをインジェクタ３３に行わせる。【選択図】図４
2015102058.tif 000002
【特許請求の範囲】
【請求項１】
インジェクタにより気筒内に噴射された、少なくともガソリンを含有する燃料を自己着火させる直噴ガソリンエンジンにおいて、
上記エンジンの幾何学的圧縮比は、１５以上であり、
上記インジェクタによる燃料噴射を制御する制御部を備え、
上記制御部は、
燃料が熱炎反応に至らずに酸化反応をする量の燃料を噴射して、圧縮上死点以降の筒内温度の変動を所定の温度幅に収める前段噴射と、
該前段噴射よりも後に燃料を噴射して、圧縮上死点以降であって筒内温度の変動が上記所定の温度幅に収まっている間に該燃料を自己着火燃焼させる主噴射とを上記インジェクタに行わせる直噴ガソリンエンジン。
【請求項２】
請求項１に記載の直噴ガソリンエンジンにおいて、
上記温度幅は、１００度である直噴ガソリンエンジン。
【請求項３】
請求項１又は２に記載の直噴ガソリンエンジンにおいて、
筒内温度の変動が上記所定の温度幅に収められている間の筒内温度は、１０００〜１１００Ｋである直噴ガソリンエンジン。
【請求項４】
請求項１乃至３の何れか１つに記載の直噴ガソリンエンジンにおいて、
筒内温度の変動が上記所定の温度幅に収められている間は、筒内圧力が圧縮上死点における筒内圧力よりも低下している直噴ガソリンエンジン。
【請求項５】
請求項１乃至４の何れか１つに記載の直噴ガソリンエンジンにおいて、
上記前段噴射は、空気過剰率が８以上となる量の燃料を噴射する直噴ガソリンエンジン。
【請求項６】
請求項５に記載の直噴ガソリンエンジンにおいて、
上記前段噴射及び上記主噴射による燃料の合計の噴射量に対する該主噴射による燃料の噴射量の比は、３／４以上である直噴ガソリンエンジン。
【請求項７】
請求項１乃至６の何れか１つに記載の直噴ガソリンエンジンにおいて、
上記前段噴射は、少なくとも第１前段噴射と、該第１前段噴射の後に燃料を噴射する第２前段噴射とに分割されている直噴ガソリンエンジン。
【請求項８】
請求項１乃至７の何れか１つに記載の直噴ガソリンエンジンにおいて、
上記制御部は、上記主噴射による燃焼を、上記エンジンの回転数が高くなるほど進角させる直噴ガソリンエンジン。
【請求項９】
請求項１乃至８の何れか１つに記載の直噴ガソリンエンジンにおいて、
上記気筒内にオゾンを発生させるオゾン発生器をさらに備え、
上記制御部は、上記主噴射の後に上記オゾン発生器にオゾンを発生させる直噴ガソリンエンジン。
【発明の詳細な説明】
【技術分野】
【０００１】
ここに開示された技術は、直噴ガソリンエンジンに関するものである。
【背景技術】
【０００２】
従来より、少なくともガソリンを含有する燃料を気筒内に供給し、混合気を圧縮させることにより燃料を自己着火させる直噴ガソリンエンジンが知られている。
【０００３】
例えば、特許文献１に開示された、燃料を自己着火燃焼させるエンジンは、燃焼時の気筒内の圧力上昇率（クランク角変化に対する気筒内の圧力変化の比率）を低減させるべく、エンジンのモータリング時の圧力上昇率が負の最大値となる時点と燃焼期間とが重複するように燃焼タイミングを制御している。具体的には、モータリング時の圧力上昇率は、圧縮上死点の手前で最大となり、圧縮上死点で０となり、圧縮上死点後は負の値となり、やがて負の最大値となる。つまり、上記エンジンでは、自己着火燃焼の着火時期を膨張行程の所定の時期までリタードさせ、燃焼期間をモータリング時の圧力上昇率が負の最大値となる時点と重複させている。これにより、燃焼時の圧力上昇率が低減され、振動騒音（ＮＶＨ）レベルが低減される。
【０００４】
尚、上記エンジンのモータリング時とは、エンジンのクランク軸を電動モータで回した時の燃焼を伴わない状態時のことで、研究上、燃焼の有無による気筒内の圧力上昇率等の比較に起用される。
【先行技術文献】
【特許文献】
【０００５】
【特許文献１】特開２０１３−５７２６８号公報
【発明の概要】
【発明が解決しようとする課題】
【０００６】
しかしながら、膨張行程が進むにつれて筒内温度は低下するため、着火タイミングをリタードさせ過ぎると、失火を生じる虞がある。特に、エンジンの圧縮率が高いほど、膨張行程における筒内温度の低下速度が速いため、着火時期をあまりリタードできない。
【０００７】
ここに開示された技術は、かかる点に鑑みてなされたものであり、自己着火燃焼のリタード可能な期間を拡大させる。
【課題を解決するための手段】
【０００８】
ここに開示された技術は、インジェクタにより気筒内に噴射された、少なくともガソリンを含有する燃料を自己着火させる直噴ガソリンエンジンが対象である。そして、この直噴ガソリンエンジンは、幾何学的圧縮比が、１５以上であり、上記インジェクタによる燃料噴射を制御する制御部を備え、上記制御部は、燃料が熱炎反応に至らずに酸化反応をする量の燃料を噴射して、圧縮上死点以降の筒内温度の変動を所定の温度幅に収める前段噴射と、該前段噴射よりも後に燃料を噴射して、圧縮上死点以降であって筒内温度の変動が上記所定の温度幅に収まっている間に該燃料を自己着火燃焼させる主噴射とを上記インジェクタに行わせるものとする。
【０００９】
上記の構成によれば、幾何学的圧縮比が１５以上という幾何学的圧縮比が比較的高いエンジンであるので、燃焼時の圧力上昇率が高くなる傾向にある。つまり、上記エンジンは、振動騒音（ＮＶＨ）レベルが高くなる傾向にある。
【００１０】
しかしながら、上記前段噴射によって圧縮上死点以降の筒内温度の変動が所定の温度幅内に収められるので、筒内温度の低下が抑制される。そのため、着火時期をリタードさせても、失火を招くことなく、自己着火燃焼を実現することができる。すなわち、前段噴射は、圧縮上死点から主噴射による燃料が着火するまでの筒内温度の変動を所定の温度幅に収めるものである。
【００１１】
こうすることで、自己着火燃焼の燃焼期間がモータリング時の圧力上昇率が負の最大値となる時点と重複するまで、あるいは、自己着火燃焼の燃焼中心が負の圧力上昇率が大きい期間（圧縮上死点後１０°〜２０°）と重複するまで自己着火燃焼をリタードさせることができる。その結果、燃焼時の圧力上昇率を低減することができ、振動騒音（ＮＶＨ）レベルを低減することができる。
【００１２】
さらに、筒内温度の変動を上記所定の温度幅内に収めることによって、筒内温度の低下を抑制するだけでなく、筒内温度が高くなり過ぎることを防止することができる。筒内温度が高くなり過ぎると、主噴射を行ったときに燃料が適切に混ざり切る前に局所的に着火して、煤が発生してしまう虞がある。つまり、筒内温度の変動を所定の温度幅に収めることによって、煤の発生を低減することができる。
【００１３】
そして、筒内温度の低下を抑制しつつ、筒内温度が高くなり過ぎるのを防止することは、燃料を熱炎反応に至らせることなく酸化反応させることによって実現できる。燃料が熱炎反応すると、大きな熱量が発生し、筒内温度が高くなり過ぎる可能性がある。それに対し、燃料が熱炎反応に至ることなく酸化反応すれば、小さな熱量しか発生せず、筒内温度の過度な上昇を抑制することができる。本明細書では、燃料が熱炎反応に至らずに酸化反応をすることを「部分酸化反応」と称する。
【００１４】
また、燃焼時の圧力上昇率を低減するためには、ＥＧＲ量を増加させることも考えられるが、ＥＧＲ量を増加すると、新規量が減少することになる。その結果、十分なトルクを確保できない虞がある。特に、圧力上昇率の大きさが問題となるのは高負荷の運転領域であり、この領域では大きなトルクが要求される。それに対して、上記の構成によれば、新規量を確保できるので、十分なトルクを発生させることができる。
【００１５】
ここで、所定の温度幅の上限値は、主噴射による燃料が筒内の空気に混合される前に着火してしまう温度未満の温度である。例えば、上限値は、圧縮上死点における筒内温度よりも５０度だけ高い温度である。所定の温度幅の下限値は、圧縮上死点における筒内温度をモータリングを行うことで低下させた温度よりも高い温度である。モータリングでは、燃焼による熱量の発生がないので、圧縮上死点以降の筒内温度は、筒内の体積変化に応じて低下していく。例えば、下限値は、圧縮上死点における筒内温度よりも５０度だけ低い温度である。つまり、前段噴射によって、圧縮上死点から主燃焼が生じるまでの筒内温度は、主噴射による燃料が筒内の空気に混合される前に着火する温度未満であって、圧縮上死点における筒内温度をモータリングを行うことで低下させた温度よりも高い温度に維持される。
【００１６】
例えば、上記温度幅は、１００度であってもよい。
【００１７】
また、筒内温度の変動が上記所定の温度幅に収められている間の筒内温度は、１０００〜１１００Ｋであってもよい。
【００１８】
筒内温度の変動が上記所定の温度幅に収められている間は、筒内圧力が圧縮上死点における筒内圧力よりも低下している。
【００１９】
つまり、前段噴射による燃料を酸化反応させたとしても、燃料を熱炎反応させる場合ほどは筒内圧力を上昇させない。そのため、圧縮上死点以降の筒内圧力は、モータリング時と同様に、圧縮上死点における筒内圧力よりも低くなっている。つまり、前段噴射により圧縮上死点以降の筒内温度の低下を抑制する程度の熱量を発生させたとしても、筒内圧力をそれほど大きくはしないので、自己着火燃焼のリタードにより燃焼時の圧力上昇率を低減するという効果を損なうことがない。
【００２０】
また、上記前段噴射は、空気過剰率が８以上となる量の燃料を噴射するようにしてもよい。
【００２１】
この構成によれば、前段噴射による燃料は、酸化反応するものの熱炎反応には至らない。その結果、前段噴射による燃料は、筒内温度を上げ過ぎることなく、筒内温度の低下を抑制できる程度の熱量を発生する。
【００２２】
さらに、上記前段噴射及び上記主噴射による燃料の合計の噴射量に対する該主噴射による燃料の噴射量の比は、３／４以上であってもよい。
【００２３】
この構成によれば、主噴射の燃料量を十分に確保できるので、主噴射による燃料の燃焼により十分なトルクを発生させることができる。
【００２４】
また、上記制御部は、上記主噴射による燃焼を、上記エンジンの回転数が高くなるほど進角させるようにしてもよい。
【００２５】
つまり、エンジン回転数が低くなるほど、燃料が筒内の高温に晒される時間が長くなり、異常燃焼が発生し易くなる。そのため、エンジン回転数が低くなるほど、主噴射による燃焼をリタードさせて、異常燃焼の発生を抑制している。それに対し、エンジン回転数が高くなるほど、燃料が筒内の高温に晒される時間が短くなり、異常燃焼が生じ難くなる。そのため、基本的には、燃焼時の圧力上昇率を低減するために、主噴射による燃焼をリタードさせるものの、その燃焼時期はエンジン回転数が高いほど、エンジン回転数が低い場合に比べて進角している。
【００２６】
さらに、上記直噴ガソリンエンジンは、上記気筒内にオゾンを発生させるオゾン発生器をさらに備え、上記制御部は、上記主噴射の後に上記オゾン発生器にオゾンを発生させるようにしてもよい。
【００２７】
この構成によれば、主噴射による燃焼の着火がオゾンによってアシストされる。例えば、リタード期間が長い場合には、筒内温度が低下しているので、着火し難くなる。そのような場合には、オゾンを添加することによって燃料の着火を容易にすることができる。
【発明の効果】
【００２８】
上記直噴ガソリンエンジンによれば、自己着火燃焼のリタード可能な期間を拡大することができる。
【図面の簡単な説明】
【００２９】
【図１】直噴ガソリンエンジンを示す概略図である。
【図２】インジェクタの内部構造を示す断面図である。
【図３】自己着火燃焼の形態を決定するためのマップである。
【図４】（Ａ）は、リタード自己着火燃焼時の噴射形態を示す図であり、（Ｂ）は、筒内温度の変化を示す図である。
【図５】燃焼による中間生成物の量のクランク角に対する変化を示し、（Ａ）は空気過剰率λが４であり、（Ｂ）は空気過剰率λが６であり、（Ｃ）は空気過剰率λが８である。
【図６】、前段噴射における空気過剰率λを変更したときの筒内温度の変化を示す図である。
【図７】（Ａ）は、クランク角に対する筒内温度変化を示す図であり、（Ｂ）は、クランク角に対する筒内圧力変化を示す図であり、（Ｃ）は、クランク角に対する筒内圧力上昇率を示す図である。
【図８】リタード自己着火燃焼時の各種パラメータの変化を示す図であり、（Ａ）は熱発生率を、（Ｂ）は筒内圧力を、（Ｃ）は圧力上昇率を示す。
【図９】実施形態２に係る直噴ガソリンエンジンを示す概略図である。
【図１０】実施形態２に係る自己着火燃焼の形態を決定するためのマップである。
【図１１】（Ａ）は、リタード自己着火燃焼時の噴射形態を示す図であり、（Ｂ）は、筒内温度の変化を示す図である。
【発明を実施するための形態】
【００３０】
《実施形態１》
以下、例示的な実施形態を図面に基づいて詳細に説明する。
【００３１】
図１は、実施形態１に係る直噴ガソリンエンジン（以下、「エンジン」という）１を概略的に示す。本実施形態では、エンジン１は、エンジン本体に付随する様々なアクチュエータ、様々なセンサ、及び、該センサからの信号に基づきアクチュエータを制御するエンジン制御器１００を含む。
【００３２】
エンジン１は、自動車等の車両に搭載され、その出力軸は、図示しないが、変速機を介して駆動輪に連結されている。エンジン１の出力が駆動輪に伝達されることによって、車両が推進する。エンジン１のエンジン本体は、シリンダブロック１２と、その上に載置されるシリンダヘッド１３とを備えており、シリンダブロック１２の内部に複数のシリンダ１１（気筒）が形成されている（図１では、１つのみ示す）。シリンダブロック１２及びシリンダヘッド１３の内部には、図示は省略するが冷却水が流れるウォータージャケットが形成されている。
【００３３】
各シリンダ１１内には、ピストン１５が摺動自在にそれぞれ嵌挿されており、ピストン１５は、シリンダ１１及びシリンダヘッド１３と共に燃焼室１７を区画している。本実施形態では、燃焼室１７は所謂ペントルーフ型であり、その天井面（シリンダヘッド１３の下面）は吸気側及び排気側の２つの傾斜面からなる三角屋根状をなしている。ピストン１５の冠面は、上記天井面に対応した凸形状をなしていて、冠面の中心部には、凹状のキャビティ１５ａが形成されている。尚、上記天井面及びピストン１の冠面の形状は、後述の高い幾何学的圧縮比が可能であれば、どのような形状であってもよく、例えば、天井面及びピストン１の冠面（キャビティ１５ａを除く部分）の両方が、シリンダ１１の中心軸に対して垂直な面で構成されていてもよく、天井面が上記のように三角屋根状をなす一方、ピストン１の冠面（キャビティ１５ａを除く部分）がシリンダ１１の中心軸に対して垂直な面で構成されていてもよい。
【００３４】
図１には１つのみ示すが、シリンダ１１毎に２つの吸気ポート１８がシリンダヘッド１３に形成され、それぞれがシリンダヘッド１３の下面（燃焼室１７の天井面における吸気側の傾斜面）に開口することで燃焼室１７に連通している。同様に、シリンダ１１毎に２つの排気ポート１９がシリンダヘッド１３に形成され、それぞれがシリンダヘッド１３の下面（燃焼室１７の天井面の排気側の傾斜面）に開口することで燃焼室１７に連通している。吸気ポート１８は、シリンダ１１内に導入される新気が流れる吸気通路（図示省略）に接続されている。吸気通路には、吸気流量を調整するスロットル弁２０が介設しており、エンジン制御器１００からの制御信号を受けて、スロットル弁２０の開度が調整される。一方、排気ポート１９は、各シリンダ１１からの既燃ガス（排気ガス）が流れる排気通路（図示省略）に接続されている。排気通路には、図示は省略するが、１つ以上の触媒コンバータを有する排気ガス浄化システムが配置（図示省略）される。触媒コンバータは例えば、三元触媒で構成される。
【００３５】
シリンダヘッド１３には、吸気弁２１及び排気弁２２が、それぞれ吸気ポート１８及び排気ポート１９を燃焼室１７から遮断（閉）することができるように配設されている。吸気弁２１は吸気弁駆動機構により、排気弁２２は排気弁駆動機構により、それぞれ駆動される。吸気弁２１及び排気弁２２は所定のタイミングで往復動して、それぞれ吸気ポート１８及び排気ポート１９を開閉し、シリンダ１１内のガス交換を行う。吸気弁駆動機構及び排気弁駆動機構は、図示は省略するが、それぞれ、クランクシャフトに駆動連結された吸気カムシャフト及び排気カムシャフトを有し、これらのカムシャフトはクランクシャフトの回転と同期して回転する。また、少なくとも吸気弁駆動機構は、吸気カムシャフトの位相を所定の角度範囲内で連続的に変更可能な、液圧式又は機械式の位相可変機構（Variable Valve Timing：ＶＶＴ）２３を含んで構成されている。尚、ＶＶＴ２３と共に、弁リフト量を連続的に変更可能なリフト可変機構（ＣＶＶＬ（Continuous Variable Valve Lift））を備えるようにしてもよい。
【００３６】
シリンダヘッド１３におけるシリンダ１１の中心軸上には、気筒内（燃焼室１７内）に燃料を直接噴射するインジェクタ３３が配設されている。このインジェクタ３３は、例えばブラケットを使用する等の周知の構造でシリンダヘッド１３に取付固定されている。インジェクタ３３の先端は、燃焼室１７の天井部の中心に臨んでいる。
【００３７】
図２に示すように、インジェクタ３３は、気筒内に燃料を噴射するノズル口４１を開閉する外開弁４２を有する、外開弁式のインジェクタである。ノズル口４１は、シリンダ１１の中心軸に沿って延びる燃料管４３の先端部において、先端側ほど径が大きくなるテーパ状に形成されている。燃料管４３の基端側の端部は、内部にピエゾ素子４４が配設されたケース４５に接続されている。外開弁４２は、弁本体４２ａと、弁本体４２ａから燃料管４３内を通ってピエゾ素子４４に接続された連結部４２ｂとを有している。弁本体４２ａの連結部４２ｂ側の部分が、ノズル口４１と略同じ形状を有しており、該部分がノズル口４１に当接（着座）しているときには、ノズル口４１が閉状態となる。このとき、弁本体４２ａの先端側の部分は、燃料管４３の外側に突出した状態となっている。
【００３８】
ピエゾ素子４４は、電圧の印加による変形により、外開弁４２をシリンダ１１の中心軸方向の燃焼室１７側に押圧することで、その外開弁４２を、ノズル口４１を閉じた状態からリフトさせてノズル口４１を開放する。このとき、ノズル口４１から気筒内に燃料が、シリンダ１１の中心軸を中心とするコーン状（詳しくはホローコーン状）に噴射される。そのコーンのテーパ角は、本実施形態では、９０°〜１００°である（内側の中空部のテーパ角は７０°程度である）。そして、ピエゾ素子４４への電圧の印加が停止すると、ピエゾ素子４４が元の状態に復帰することで、外開弁４２がノズル口４１を再び閉状態とする。このとき、ケース４５内における連結部４２ｂの周囲に配設された圧縮コイルバネ４６がピエゾ素子４４の復帰を助長する。
【００３９】
ピエゾ素子４４に印加する電圧が大きいほど、外開弁４２の、ノズル口４１を閉じた状態からのリフト量（以下、単にリフト量という）が大きくなる。このリフト量が大きいほど、ノズル口４１の開度が大きくなってノズル口４１から気筒内に噴射される燃料噴霧のペネトレーションが大きくなる（長くなる）とともに、単位時間当たりに噴射される燃料量が多くなりかつ燃料噴霧の粒径が大きくなる。ピエゾ素子４４の応答は速く、後述の噴射を容易に実現することが可能である。但し、外開弁４２を駆動する手段としては、ピエゾ素子４４には限られない。
【００４０】
燃料供給システム３４は、外開弁４２（ピエゾ素子４４）を駆動するための電気回路と、インジェクタ３３に燃料を供給する燃料供給系とを備えている。エンジン制御器１００は、所定のタイミングで、リフト量に応じた電圧を有する噴射信号を上記電気回路に出力することで、該電気回路を介してピエゾ素子４４及び外開弁４２を作動させて、所望量の燃料を、気筒内に噴射させる。上記噴射信号の非出力時（噴射信号の電圧が０であるとき）には、外開弁４２によりノズル口４１が閉じられた状態となる。このようにピエゾ素子４４は、エンジン制御器１００からの噴射信号によって、その作動が制御される。こうしてエンジン制御器１００は、ピエゾ素子４４の作動を制御して、インジェクタ３３のノズル口４１からの燃料噴射及び該燃料噴射時におけるリフト量を制御する。
【００４１】
上記燃料供給系には、図示省略の高圧燃料ポンプやコモンレールが設けられており、その高圧燃料ポンプは、低圧燃料ポンプを介して燃料タンクより供給されてきた燃料をコモンレールに圧送し、コモンレールは、その圧送された燃料を、所定の燃料圧力で蓄える。そして、インジェクタ３３が作動する（外開弁４２がリフトされる）ことによって、上記コモンレールに蓄えられている燃料がノズル口４１から噴射される。
【００４２】
ここで、エンジン１の燃料は、本実施形態ではガソリンであるが、バイオエタノール等を含むガソリンであってもよく、少なくともガソリンを含む燃料（液体燃料）であれば、どのような燃料であってもよい。
【００４３】
エンジン制御器１００は、周知のマイクロコンピュータをベースとするコントローラであって、プログラムを実行する中央演算処理装置（ＣＰＵ）と、例えばＲＡＭやＲＯＭにより構成されてプログラム及びデータを格納するメモリと、電気信号の入出力をする入出力（Ｉ／Ｏ）バスと、を備えている。エンジン制御器１００は、制御部の一例である。
【００４４】
エンジン制御器１００は、少なくとも、エアフローセンサ７１からの吸気流量に関する信号、クランク角センサ７２からのクランク角パルス信号、アクセル・ペダルの踏み込み量を検出するアクセル開度センサ７３からのアクセル開度信号、及び、車速センサ７４からの車速信号をそれぞれ受ける。エンジン制御器１００は、これらの入力信号に基づいて、例えば、所望のスロットル開度信号、燃料噴射パルス、点火信号、バルブ位相角信号等といった、エンジン１の制御パラメーターを計算する。そして、エンジン制御器１００は、それらの信号を、スロットル弁２０（スロットル弁２０を動かすスロットルアクチュエータ）、燃料供給システム３４（上記電気回路）、ＶＶＴ２３等に出力する。
【００４５】
このエンジン１の幾何学的圧縮比εは、１５以上４０以下とされている。この幾何学的圧縮比εは、特に２５以上３５以下が好ましい。本実施形態では、エンジン１は圧縮比＝膨張比となる構成から、高圧縮比と同時に、比較的高い膨張比を有するエンジン１でもある。尚、圧縮比≦膨張比となる構成（例えばアトキンソンサイクルや、ミラーサイクル）を採用してもよい。また、吸気弁の遅閉じ等を行う場合には、エンジン１の有効圧縮比は、１２以上に設定される。好ましくは、エンジン１の有効圧縮比は、１８以上に設定される。
【００４６】
燃焼室１７は、図１に示すように、シリンダ１１の壁面と、ピストン１５の冠面と、シリンダヘッド１３の下面（天井面）と、吸気弁２１及び排気弁２２それぞれのバルブヘッドの面と、によって区画形成されている。そして、冷却損失を低減するべく、これらの各面に、断熱層６１，６２，６３，６４，６５が設けられることによって、燃焼室１７が断熱化されている。尚、以下において、これらの断熱層６１〜６５を総称する場合は、断熱層に符号「６」を付す場合がある。断熱層６は、これらの区画面の全てに設けてもよいし、これらの区画面の一部に設けてもよい。また、図例では、シリンダ壁面の断熱層６１は、ピストン１５が上死点に位置した状態で、そのピストンリング１４よりも上側の位置に設けられており、これにより断熱層６１上をピストンリング１４が摺動しない構成としている。但し、シリンダ壁面の断熱層６１はこの構成に限らず、断熱層６１を下向きに延長することによって、ピストン１５のストロークの全域、又は、その一部に断熱層６１を設けてもよい。また、燃焼室１７を直接区画する壁面ではないが、吸気ポート１８や排気ポート１９における、燃焼室１７の天井面側の開口近傍のポート壁面に断熱層を設けてもよい。尚、図１に図示する各断熱層６１〜６５の厚みは実際の厚みを示すものではなく単なる例示であると共に、各面における断熱層の厚みの大小関係を示すものでもない。
【００４７】
燃焼室１７の断熱構造について、さらに詳細に説明する。燃焼室１７の断熱構造は、上述の如く、燃焼室１７を区画する各区画面に設けた断熱層６１〜６５によって構成されるが、これらの断熱層６１〜６５は、燃焼室１７内の燃焼ガスの熱が、区画面を通じて放出されることを抑制するため、燃焼室１７を構成する金属製の母材よりも熱伝導率が低く設定される。ここで、シリンダ１１の壁面に設けた断熱層６１については、シリンダブロック１２が母材であり、ピストン１５の冠面に設けた断熱層６２についてはピストン１５が母材であり、シリンダヘッド１３の天井面に設けた断熱層６３については、シリンダヘッド１３が母材であり、吸気弁２１及び排気弁２２それぞれのバルブヘッド面に設けた断熱層６４，６５については、吸気弁２１及び排気弁２２がそれぞれ母材である。したがって、母材の材質は、シリンダブロック１２、シリンダヘッド１３及びピストン１５については、アルミニウム合金や鋳鉄となり、吸気弁２１及び排気弁２２については、耐熱鋼や鋳鉄等となる。
【００４８】
また、断熱層６は、冷却損失を低減する上で、母材よりも容積比熱が小さいことが好ましい。つまり、燃焼室１７内のガス温度は燃焼サイクルの進行によって変動するが、燃焼室１７の断熱構造を有しない従来のエンジンは、シリンダヘッドやシリンダブロック内に形成したウォータージャケット内を冷却水が流れることにより、燃焼室１７を区画する面の温度は、燃焼サイクルの進行にかかわらず、概略一定に維持される。
【００４９】
一方で、冷却損失は、冷却損失＝熱伝達率×伝熱面積×（ガス温度−区画面の温度）によって決定されることから、ガス温度と壁面の温度との差温が大きくなればなるほど冷却損失は大きくなってしまう。冷却損失を抑制するためには、ガス温度と区画面の温度との差温は小さくすることが望ましいが、冷却水によって燃焼室１７の区画面の温度を概略一定に維持した場合、ガス温度の変動に伴い差温が大きくなることは避けられない。そこで、断熱層６の熱容量を小さくして、燃焼室１７の区画面の温度が、燃焼室１７内のガス温度の変動に追従して変化するようにすることが好ましい。
【００５０】
上記断熱層６は、例えば、母材上にＺｒＯ２等のセラミック材料をプラズマ溶射によってコーティングして形成すればよい。このセラミック材料の中には、多数の気孔を含んでいてもよい。このようにすれば、断熱層６の熱伝導率及び容積比熱をより低くすることができる。
【００５１】
また、本実施形態では、図１に示すように、熱伝導率が非常に低くて断熱性に優れかつ耐熱性にも優れたチタン酸アルミニウム製のポートライナ１８１を、シリンダヘッド１３に一体的に鋳ぐるむことによって、吸気ポート１８に断熱層を設けている。この構成は、新気が吸気ポート１８を通過するときに、シリンダヘッド１３から受熱して温度が上がることを抑制乃至回避し得る。これによってシリンダ１１内に導入する新気の温度（初期のガス温度）が低くなるため、燃焼時のガス温度が低下し、ガス温度と燃焼室１７の区画面との差温を小さくする上で有利になる。燃焼時のガス温度を低下させることは熱伝達率を低くし得るから、そのことによる冷却損失の低減にも有利になる。尚、吸気ポート１８に設ける断熱層の構成は、ポートライナ１８１の鋳ぐるみに限定されない。
【００５２】
本実施形態では、上記の燃焼室１７及び吸気ポート１８の断熱構造に加えて、気筒内（燃焼室１７内）においてガス層による断熱層を形成することで、冷却損失を大幅に低減するようにしている。
【００５３】
具体的には、エンジン制御器１００は、エンジン１の気筒内（燃焼室１７内）の外周部に新気を含むガス層が形成されかつ中心部に混合気層が形成されるように、圧縮行程においてインジェクタ１１のノズル口４１から気筒内に燃料を噴射させるべく、燃料供給システム３４の電気回路に噴射信号を出力する。すなわち、圧縮行程においてインジェクタ３３により気筒内に燃料を噴射させかつその燃料噴霧のペネトレーションを、燃料噴霧が気筒内の外周部まで届かないような大きさ（長さ）に抑えることで、気筒内の中心部に混合気層が形成されかつその周囲に新気を含むガス層が形成されるという、成層化が実現する。このガス層は、新気のみであってもよく、新気に加えて、既燃ガス（ＥＧＲガス）を含んでいてもよい。尚、ガス層に少量の燃料が混じっても問題はなく、ガス層が断熱層の役割を果たせるように混合気層よりも燃料リーンであればよい。
【００５４】
上記のようにガス層と混合気層とが形成された状態で燃料が自己着火すれば、混合気層とシリンダ１１の壁面との間のガス層により、混合気層の火炎がシリンダ１１の壁面に接触することがなく、そのガス層が断熱層となって、シリンダ１１の壁面からの熱の放出を抑えることができるようになる。この結果、冷却損失を大幅に低減することができる。
【００５５】
尚、冷却損失を低減させるだけでは、その冷却損失の低減分が排気損失に転換されて図示熱効率の向上にはあまり寄与しないところ、このエンジン１では、高圧縮比化に伴う高膨張比化によって、冷却損失の低減分に相当する燃焼ガスのエネルギを、機械仕事に効率よく変換している。すなわち、エンジン１は、冷却損失及び排気損失を共に低減させる構成を採用することによって、図示熱効率を大幅に向上させているということができる。
【００５６】
エンジン１は、全運転領域において、インジェクタ３３により気筒内に噴射された燃料を自己着火燃焼させる。より詳しくは、エンジン１は、図３に示すように、エンジン負荷が低、中負荷の運転領域であって、通常の自己着火燃焼を行う通常運転領域Ａと、通常運転領域Ａよりも高負荷側の運転領域であって、リタードさせた自己着火燃焼を行うリタード運転領域Ｂとを有している。
【００５７】
通常運転領域Ａでは、圧縮上死点付近で燃料を自己着火燃焼させる。例えば、インジェクタ３３による燃焼噴射開始時期が圧縮行程中に設定される。通常運転領域Ａでは、エンジン制御器１００は、エンジン回転数、エンジン負荷及び有効圧縮比に応じて、燃料量、燃料の噴射タイミング、燃料の噴射形態を調整する。通常運転領域Ａでは、圧縮上死点以降に主燃焼が開始されるが、後述するリタード運転領域Ｂのような、圧縮上死点以降の筒内温度を維持するための燃料噴射を行わない。
【００５８】
尚、通常運転領域Ａでは、気筒内（燃焼室１７内）全体の空気過剰率λが２以上、又は、気筒内におけるガスの燃料に対する重量比Ｇ／Ｆが３０以上に設定され得る。これにより、断熱層による断熱化を図って図示熱効率を向上させながら、ＲａｗＮＯｘを低減することができる。ＲａｗＮＯｘ低減の観点からは、上記空気過剰率λ≧２．５がより一層好ましい。また、上記空気過剰率λ＝８で図示熱効率がピークになることから、上記空気過剰率λの範囲としては、２≦λ≦８（より好ましくは２．５≦λ≦８）が好ましい。尚、混合気のリーン化は、スロットル弁２０を開き側に設定することになるから、ガス交換損失（ポンピングロス）の低減による図示熱効率の向上にも寄与し得る。
【００５９】
リタード運転領域Ｂでは、圧縮上死点から主噴射の燃料が自己着火するまでの筒内温度を実質的に圧縮上死点における筒内温度のまま維持するための熱量を発生させる前段噴射と、膨張行程において自己着火燃焼を生じさせるための主噴射とが行われる。以下、前段噴射によって圧縮上死点以降の筒内温度を維持しつつ、着火時期をリタードさせる自己着火燃焼を「リタード自己着火燃焼」と称する。
【００６０】
前段噴射は、噴射した燃料を部分酸化反応させる空燃比となる量だけ燃料を噴射するものであって、圧縮上死点以降の筒内温度を所定の期間、主噴射による燃料が自己着火可能な温度に維持するためのものである。前段噴射では、燃料が酸化反応するものの熱炎反応には至らないので、圧縮上死点以降の筒内温度の低下を抑制する程度の熱量しか発生しない。つまり、前段噴射は、筒内温度が高くなり過ぎることを防止しつつ、圧縮上死点以降の筒内温度を維持するためのものである。この前段噴射により、圧縮上死点以降の混合気は、温度変化が所定の温度幅内に抑制された状態で膨張、即ち、実質的に等温膨張する。本明細書では、この実質的な等温膨張のことを単に「等温膨張」という。
【００６１】
所定の温度幅の上限値は、主噴射による燃料が筒内の空気に混合される前に着火してしまう温度未満の温度である。所定の温度幅の下限値は、圧縮上死点における筒内温度をモータリングを行うことで低下させた温度よりも高い温度である。つまり、前段噴射によって、圧縮上死点から主燃焼が生じるまでの筒内温度は、主噴射による燃料が筒内の空気に混合される前に着火する温度未満であって、圧縮上死点における筒内温度をモータリングを行うことで低下させた温度よりも高い温度に維持される。例えば、「所定の温度幅」は、１００度である。より具体的には、圧縮上死点から主燃焼が生じるまでの筒内温度は、１０００〜１１００Ｋに維持される。
【００６２】
主噴射は、エンジントルクを生成する主燃焼（１サイクル中で最も大きな熱量を発生させる燃焼）を生じさせるための噴射である。主噴射は、膨張行程において筒内温度の変動が上記所定の温度幅内に収まっている間に燃料が着火するタイミングで燃料を噴射する。さらに、主噴射の噴射タイミングは、主燃焼の燃焼期間がモータリング時の気筒内の圧力上昇率が負の最大値となる時点と重複するタイミングとなっている。ここで、着火とは、燃料の燃焼質量割合が１０％以上となった時点を意味する。例えば、主噴射は、圧縮上死点以降であって、膨張行程中（より詳しくは、膨張行程を初期、中期、終期に３等分したときの初期）に実行される。主噴射は、トルクを発生させる主燃焼を生じさせるものであるので、必要なトルクに見合った燃料を噴射する必要がある。例えば、主噴射では、前段噴射による噴射量と主噴射による噴射量とを合わせた全噴射量のうち３／４以上の燃料を噴射することが好ましい。
【００６３】
このように主燃焼をリタードさせる場合、リタードできる期間には限界がある。つまり、吸気行程が進むと、筒内の容積の増大に伴って筒内温度が低下するので、主燃焼をリタードさせ過ぎると失火してしまう。吸気行程における筒内温度の低下速度は、圧縮比が高いほど速い。そのため、圧縮比が高いほど、リタード可能な期間が短くなる。しかしながら、上記前段噴射により圧縮上死点以降の筒内温度を維持することによって、主燃焼をリタードできる期間を拡大することができる。
【００６４】
ただし、圧縮上死点以降の筒内温度を高くする際に、筒内温度を高くし過ぎると、主噴射により噴射した燃料が筒内の空気と混ざり切る前に局所的に着火してしまい、煤を発生させる虞がある。しかし、前段噴射によれば、圧縮上死点以降の筒内温度の変動が所定の温度幅内に抑制されるので、筒内温度の過度な上昇も抑制される。その結果、主噴射による燃料が局所的に着火して煤が発生してしまうことを抑制することができる。
【００６５】
尚、リタード運転領域Ｂでは、トルク優先により、気筒内全体の空気過剰率λ＝１に設定され得る。
【００６６】
また、上記主噴射による燃焼、即ち、主燃焼を、エンジンの回転数が高くなるほど進角させる。つまり、エンジン回転数が低くなるほど、燃料が筒内の高温に晒される時間が長くなり、異常燃焼が発生し易くなる。そのため、エンジン回転数が低くなるほど、主燃焼をリタードさせて、異常燃焼の発生を抑制する。それに対し、エンジン回転数が高くなるほど、燃料が筒内の高温に晒される時間が短くなり、異常燃焼が生じ難くなる。そのため、基本的には、燃焼時の圧力上昇率を低減するために、主燃焼をリタードさせるものの、その燃焼時期はエンジン回転数が高いほど、エンジン回転数が低い場合に比べて進角している。
【００６７】
次に、噴射形態の一例を説明する。前段噴射は、図４（Ａ）の例では、第１前段噴射とそれに続く第２前段噴射とに分割されている。第１前段噴射は、圧縮上死点における筒内温度を調整するためのものである。つまり、第１前段噴射の噴射量が多くなるほど、圧縮上死点における筒内温度が高くなる。第２前段噴射は、圧縮上死点以降の温度維持期間（筒内温度の変動が所定の温度幅に維持される期間）の長さを調整するためのものである。つまり、第２前段噴射の噴射量が多くなるほど、圧縮上死点以降の筒内温度が圧縮上死点における筒内温度に維持される期間が長くなる（図４（Ａ）の一点鎖線参照）。第１前段噴射は、圧縮行程終期に実行される。第２前段噴射は、圧縮上死点の近傍（圧縮上死点後すぐ）で実行される。
【００６８】
第１前段噴射による噴射量は、全噴射量の５％であり、第２前段噴射による噴射量は、全噴射量の１５％である。主噴射の噴射量は、全噴射量の８０％である。
【００６９】
第１前段噴射、第２前段噴射及び主噴射の全噴射量は、筒内全体の空気過剰率が１となるように設定されている（混合気層では、空気過剰率λ＜１となる）。これにより、トルクが確保できるとともに、排気ガス浄化システムの三元触媒によって排気ガスを効率良く浄化することができる。
【００７０】
このような噴射形態においては、主として第２前段噴射の噴射量によって温度維持期間が調整され、主として主噴射の噴射タイミングによって主燃焼のリタード量が調整される。例えば、主燃焼のリタード量を多くする場合には、第２前段噴射の噴射量を多くして温度維持期間を長くすると共に主噴射の噴射タイミングを遅くして主燃焼の着火時期を遅らせる。このとき、温度維持期間における筒内温度の大きさは、主として第１前段噴射の噴射量によって調整される。
【００７１】
尚、前段噴射が分割されていない場合には、１度の前段噴射の噴射量によって、圧縮上死点の筒内温度及び温度維持期間の長さを調整する。
【００７２】
続いて、前段噴射による等温膨張について詳細に説明する。図５は、燃焼による中間生成物の量のクランク角に対する変化を示し、（Ａ）は空気過剰率λが４であり、（Ｂ）は空気過剰率λが６であり、（Ｃ）は空気過剰率λが８である。図６に、前段噴射における空気過剰率λを変更したときの筒内温度の変化を示す。
【００７３】
前段噴射による等温膨張は、前段噴射時の空燃比（空気過剰率）を調整することによって実現される。具体的には、混合気をリーンにしていくと、発熱量が減少し、等温膨張の実現が可能となる。
【００７４】
図５（Ａ）に示すように、空気過剰率λが４のときには、クランク角が進むにつれて、ＣＯ、Ｈ２Ｏ２、ＨＣＨＯが減少し、ＯＨが増加している。ここで、ＣＯの減少は、ＣＯからＣＯ２への変化を意味している。ＣＯからＣＯ２への変化を大きな発熱を伴うため、筒内温度が大きく上昇する。そのため、図６に示すように、空気過剰率λが４の場合には、圧縮上死点以降、筒内温度が急激に上昇している。
【００７５】
図５（Ｂ）に示すように、空気過剰率λが６のときには、クランク角に対するＣＯの減少量が小さい。つまり、空燃比をリーンにするほど、ＣＯからＣＯ２への変化が生じ難くなっている。その結果、図６に示すように、空気過剰率λが６の場合には、空気過剰率λが４の場合と比べて、圧縮上死点以降の筒内温度の上昇が緩やかになっている。
【００７６】
図５（Ｃ）に示すように、空気過剰率λが８のときには、ＣＯの量がクランク角が進んでもほとんど変化していない。つまり、ＣＯからＣＯ２への変化がほとんど生じていない。これは、燃料が酸化反応するものの、熱炎反応には至っていないためである。これにより、図６に示すように、圧縮上死点以降の筒内温度の上昇を抑制することができる。図６の例では、圧縮上死点以降の筒内温度の上昇を圧縮上死点における筒内温度よりも５０度高い温度以下に抑制している。具体的には、圧縮上死点以降の筒内温度を１１００Ｋ以下に抑制している。一方で、燃料は、熱炎反応には至らないものの酸化反応しており、燃焼室の膨張に伴う筒内温度の低下を補償する程度の微小な熱量を発生している。その結果、筒内温度が圧縮上死点以降も圧縮上死点における筒内温度と同程度に維持され、モータリング時に比べて、膨張行程における筒内温度の低下が抑制されている。
【００７７】
次に、等温膨張による筒内温度、筒内圧力、圧力上昇率について説明する。図７（Ａ）は、クランク角に対する筒内温度変化を示し、図７（Ｂ）は、クランク角に対する筒内圧力変化を示し、図７（Ｃ）は、クランク角に対する筒内圧力上昇率を示す。何れの図においても、モータリング時の変化を破線で、等温膨張における変化を実線で示す。
【００７８】
モータリング時の筒内温度は、圧縮行程において圧縮上死点に近づくにつれて上昇し、圧縮上死点において最大となり、圧縮上死点以降は低下していく。モータリング時の筒内圧力も、筒内温度と同様に、圧縮行程において圧縮上死点に近づくにつれて上昇し、圧縮上死点において最大となり、圧縮上死点以降は低下していく。このとき、圧力上昇率は、圧縮上死点前は正の値であり、例えば圧縮上死点前１０°あたりで最大値となり、圧縮上死点において０となる。圧縮上死点以降は、圧力上昇率は、負の値となり、例えば圧縮上死点後１０°あたりで最小値となる。
【００７９】
一方、等温膨張によれば、筒内温度は、圧縮行程において圧縮上死点に向かって上昇し、圧縮上死点において最大となった後、しばらくの間（即ち、温度維持期間の間）、実質的に圧縮上死点における温度に維持される。その後、筒内温度は低下していく。等温膨張における筒内圧力は、圧縮行程において圧縮上死点に近づくにつれて上昇し、圧縮上死点において最大となり、圧縮上死点以降は低下する。この挙動は、モータリング時と同じである。ただし、圧縮上死点以降の等温膨張における筒内圧力は、モータリング時の筒内圧力よりも僅かに高い。同様に、等温膨張における圧力上昇率の基本的な挙動は、モータリング時と同じである。ただし、膨張行程における圧力上昇率が等温膨張中だけモータリング時よりも大きくなっている。しかしながら、この圧力上昇率の増加は僅かである。
【００８０】
要するに、前段噴射によって筒内温度を維持できるだけの熱量を発生させたとしても、圧縮上死点以降の負の圧力上昇率はモータリング時に比べて僅かに大きくなるだけである。圧縮上死点以降の筒内温度を高くできたとしても圧縮上死点以降の圧力上昇率も高くなってしまっては、主燃焼をリタードできるものの、振動騒音（ＮＶＨ）レベルを低減できない。つまり、前段噴射によれば、筒内温度の低下を抑制しつつ、筒内の圧力上昇率を低いままに維持することができるので、自己着火燃焼をリタードさせることによって燃焼時の圧力上昇率を低減することができる。
【００８１】
続いて、リタード自己着火燃焼における、熱発生率、筒内圧力及び筒内圧力上昇率について説明する。図８（Ａ）に熱発生率を、図８（Ｂ）に筒内圧力を、図８（Ｃ）に圧力上昇率を示す。各図において、実線はリタード自己着火燃焼を表し、一点鎖線は通常の自己着火燃焼（前段噴射のような圧縮上死点以降の筒内温度の維持のための燃料噴射を行わない自己着火燃焼）を表す。図８（Ｂ）、（Ｃ）においては、モータリング時の値を破線で示す。
【００８２】
尚、図８におけるエンジンの幾何学的圧縮比は２５であり、吸気弁を吸気下死点後８０°の時点で閉じ、エンジン回転数は１０００ｒｐｍである。リタード自己着火燃焼は、圧縮上死点前９０°の時点で前段噴射を１回だけ行い、圧縮上死点前３．６°の時点で主噴射を行った。通常の自己着火燃焼は、圧縮上死点前２７０°の時点で１回だけ燃料噴射を行った。
【００８３】
図８（Ａ）に示すように、通常の自己着火燃焼の場合、圧縮上死点直後に着火して、熱発生率が急上昇している。リタード自己着火燃焼の場合、圧縮上死点以降であって、通常の自己着火燃焼よりも遅れたタイミングで着火して、熱発生率が上昇している。リタード自己着火燃焼の熱発生率のピークは、圧縮上死点後約１０〜２０°の時点である。圧縮上死点から着火までの期間は、筒内温度を維持している期間であるが、この期間は熱発生率がほとんど上昇していない。また、リタード自己着火燃焼の方が通常の自己着火燃焼に比べて熱発生率の上昇が緩やかになっている。
【００８４】
通常の自己着火燃焼の筒内圧力は、図８（Ｂ）に示すように、圧縮行程において圧縮上死点に向かって上昇し、自己着火燃焼に伴ってさらに上昇する。リタード自己着火燃焼の筒内圧力は、圧縮行程において圧縮上死点に向かって上昇し、圧縮上死点において極大になる。リタード自己着火燃焼は、着火時期がリタードしているので、筒内圧力は、圧縮上死点において極大になった後、一旦低下し、膨張行程初期の自己着火燃焼に伴って再び上昇する。筒内圧力は、その後、極大となり、低下する。圧縮上死点前後におけるリタード自己着火燃焼の筒内圧力は、モータリング時の筒内圧力とほとんど変わらない。圧縮上死点近傍において、リタード自己着火燃焼の筒内圧力の方がモータリング時の筒内圧力よりもわずかに高くなっているが、圧縮上死点以降は、リタード自己着火燃焼の筒内圧力は、モータリング時の筒内圧力と同様に低下していく。そして、自己着火燃焼に伴う筒内圧力の再度の上昇が圧縮上死点以降の筒内圧力が低下しているところから始まるので、自己着火燃焼に伴う筒内圧力の極大値は、通常の自己着火燃焼の筒内圧力の最大値に比べて大幅に小さい。
【００８５】
通常の自己着火燃焼の圧力上昇率は、図８（Ｃ）に示すように、圧縮上死点直後から上昇し、最大値となり、やがて減少する。一方、リタード自己着火燃焼の圧力上昇率は、圧縮上死点以降はしばらく負の値であって且つ膨張行程が進むにつれて減少していく。そして、圧力上昇率は、膨張行程初期の自己着火燃焼に伴って上昇に転じ、正の値となり、最大値となった後、減少する。リタード自己着火燃焼の燃焼期間（燃料の燃焼質量割合が１０％以上９０％以下となる期間）は、モータリング時の圧力上昇率が負の最大値となる時点と重複している。つまり、本来、圧力上昇率が低い期間にリタード自己着火燃焼が生じる。そのため、リタード自己着火燃焼における燃焼時の圧力上昇率の最大値は、通常の自己着火燃焼における燃焼時の圧力上昇率の最大値に比べて大幅に低減されている。その結果、リタード自己着火燃焼の振動騒音（ＮＶＨ）レベルは、通常の自己着火燃焼の振動騒音（ＮＶＨ）レベルに比べて大幅に低減される。
【００８６】
したがって、上記直噴ガソリンエンジン１は、インジェクタ３３により気筒内に噴射された、少なくともガソリンを含有する燃料を自己着火させるものであって、幾何学的圧縮比が、１５以上であり、上記インジェクタ３３による燃料噴射を制御するエンジン制御器１００を備えている。上記エンジン制御器１００は、燃料が熱炎反応に至らずに酸化反応をする量の燃料を噴射して、圧縮上死点以降の筒内温度の変動を所定の温度幅に収める前段噴射と、該前段噴射よりも後に燃料を噴射して、圧縮上死点以降であって筒内温度の変動が上記所定の温度幅に収まっている間に該燃料を自己着火燃焼させる主噴射とを上記インジェクタ３３に行わせる。
【００８７】
この構成によれば、前段噴射によって圧縮上死点以降の筒内温度の低下が抑制されるので、自己着火燃焼において着火時期をリタードできる期間を長くすることができる。そのため、幾何学的圧縮比が１５以上の高圧縮比のエンジンであっても、自己着火燃焼の着火時期を燃焼期間がモータリング時の圧力上昇率が負の最大値となる時点と重複する時期までリタードさせることができる。その結果、騒音振動レベルを低減することができる。
【００８８】
また、圧縮上死点以降の筒内温度の低下を抑制することによって、筒内温度の過度な上昇も抑制することができる。その結果、主噴射による燃料が筒内の空気と混ざり切る前に局所的に着火して煤を発生させることを抑制することができる。
【００８９】
尚、燃焼時の圧力上昇率を低減する方法としては、ＥＧＲ量を増加させることも考えられる。しかし、ＥＧＲ量が増加すると、新規量が減少することになり、十分なトルクを確保できない。特に、圧力上昇率の大きさが問題となるのは高負荷の運転領域であり、この領域では大きなトルクが要求される。それに対して、上記の前段噴射により筒内温度を維持する構成によれば、新規量を確保できるので、十分なトルクを発生させることができる。
【００９０】
上記温度幅は、例えば、１００度である。つまり、前段噴射により、圧縮上死点以降の筒内温度の変動が１００度の幅内に収められる。その結果、圧縮上死点以降、筒内温度の低下及び過度の上昇が抑制される。
【００９１】
また、筒内温度の変動が上記所定の温度幅に収められている間の筒内温度は、エンジン１の幾何学的圧縮比若しくは有効圧縮比及びエンジン１の運転状態に応じて変化するが、例えば、１０００〜１１００Ｋである。この温度内であれば、主噴射による燃料が局所的に着火してしまうことを防止しつつ、自己着火燃焼を生じさせることができる。
【００９２】
また、筒内温度の変動が上記所定の温度幅に収められている間は、筒内圧力が圧縮上死点における筒内圧力よりも低下している。
【００９３】
つまり、前段噴射によって筒内温度を維持できる熱量を発生させたとしても、圧縮上死点以降から主燃焼が生じるまでの筒内圧力を圧縮上死点における筒内圧力よりも低い状態とすることができる。
【００９４】
同様に、筒内温度の変動が上記所定の温度幅に収められている間は、筒内の圧力上昇率が圧縮上死点における筒内の圧力上昇率よりも低下している。
【００９５】
そのため、自己着火燃焼をリタードさせることによって燃焼時の圧力上昇率を低減することができ、振動騒音（ＮＶＨ）レベルを低減することができる。
【００９６】
また、上記前段噴射は、空気過剰率が８以上となる量の燃料を噴射する。
【００９７】
空気過剰率を８以上とすることによって、前段噴射による燃料は、熱炎反応に至ることなく酸化反応を生ずる。その結果、筒内温度を上げ過ぎることなく、筒内温度を維持できるだけの熱量を発生させることができる。
【００９８】
また、上記前段噴射及び上記主噴射による燃料の合計の噴射量に対する該主噴射による燃料の噴射量の比は、３／４である。
【００９９】
この構成によれば、主噴射による噴射量を確保できるので、十分なトルクを発生させることができる。
【０１００】
上記エンジン制御器１００は、上記主噴射による燃焼を、上記エンジンの回転数が高くなるほど進角させる。
【０１０１】
つまり、エンジン回転数が高くなるほど、膨張行程における筒内温度の低下が速くなる。そのため、エンジン回転数が高くなるほど主噴射による燃焼を進角させることによって、主噴射による燃焼を確実に行うことができる。
【０１０２】
《実施形態２》
続いて、実施形態２に係る直噴ガソリンエンジン２０１について説明する。
【０１０３】
図９は、直噴ガソリンエンジン２０１を概略的に示す。エンジン２０１は、オゾン発生器３１を有する点で、実施形態１に係るエンジン１と異なる。
【０１０４】
詳しくは、エンジン２０１のシリンダヘッド１３には、オゾン発生器３１が配設されている。このオゾン発生器３１は、例えばねじ等の周知の構造によって、シリンダヘッド１３に固定されている。オゾン発生器３１の先端部は燃焼室１７の天井部に臨んでいる。このオゾン発生器３１の先端部は、インジェクタ３３のノズル口４１の近傍に位置する。オゾン発生器３１は、互いに絶縁され且つ対向して配置された２つの電極を有している。オゾン発生器３１は、オゾン発生システム３２によって駆動される。オゾン発生システム３２は、オゾン発生回路を有している。オゾン発生システム３２は、エンジン制御器２００からの制御信号を受けて、高圧の高周波電圧をオゾン発生器３１に出力する。オゾン発生器３１は、高周波電圧が印加されると、２つの電極間にオゾンを発生させる。オゾン発生器３１に印加する高周波電圧の大きさ又は周波数を変更することによって、オゾンの濃度を調整することができる。尚、オゾン発生器３１の配置及び構成は、これに限定されるものではない。
【０１０５】
エンジン２０１は、全運転領域において、インジェクタ３３により気筒内に噴射された燃料を自己着火燃焼させる。より詳しくは、エンジン２０１は、図１０に示すように、エンジン負荷が低、中負荷の運転領域であって、通常の自己着火燃焼を行う通常運転領域Ａと、通常運転領域Ａよりも高負荷側の運転領域であって、リタードさせた自己着火燃焼を行うリタード運転領域Ｂとを有している。通常運転領域Ａは、実施形態１のエンジン１と同様の制御を行う。
【０１０６】
リタード運転領域Ｂは、オゾンを添加することなくリタード自己着火燃焼を行う第１運転領域Ｂ１と、主噴射の後に筒内にオゾンを添加してリタード自己着火燃焼を行う、運転領域Ｂ１よりも高負荷側の第２運転領域Ｂ２とを含んでいる。
【０１０７】
第１運転領域Ｂ１は、実施形態１のエンジン１について説明した制御と同様の制御を行う。つまり、エンジン２０１のエンジン制御器２００は、圧縮上死点から主噴射の燃料が自己着火するまでの筒内温度を圧縮上死点における筒内温度のまま維持するための熱量を発生させる前段噴射と、膨張行程において自己着火燃焼を生じさせるための主噴射とをインジェクタ３３に行わせる。つまり、第１運転領域Ｂ１においては、エンジン制御器２００は、自己着火燃焼をリタードさせる際のリタード期間を後述するオゾン添加をすることなく、前段噴射のみによって拡大している。
【０１０８】
第２運転領域Ｂ２では、エンジン制御器２００は、上記前段噴射及び主噴射をインジェクタ３３に行わせた後、オゾン発生器３１にオゾンを発生させる。主噴射によって気筒内に噴射された燃料は、オゾンによってエネルギが付与され、容易に自己着火燃焼する。つまり、オゾンは、燃料の自己着火燃焼をアシストする。
【０１０９】
前段噴射によれば、圧縮上死点以降の筒内温度の低下を抑制できるため、自己着火燃焼をリタードできる期間を延長することができる。しかしながら、リタードできる期間を延長できたとしても限界がある。それに対し、オゾンを添加することによって、オゾンの添加が無ければ着火が困難又は着火が不可能な時点まで着火時期をリタードさせたとしても燃料を自己着火させることができる。このように、第２運転領域Ｂ２では、エンジン制御器２００は、前段噴射及びオゾン添加によって、自己着火燃焼をリタードさせる際のリタード期間を拡大している。
【０１１０】
一例としては、図１１（Ａ）に示すように、エンジン制御器２００は、第１前段噴射、第２前段噴射、主噴射及びオゾン添加をこの順でインジェクタ３３及びオゾン発生器３１に行わせる。第１前段噴射は、圧縮上死点前に実行される。第２前段噴射は、圧縮上死点直後に実行される。主噴射は、第２前段噴射の後で実行される。第１前段噴射による噴射量は、全噴射量の５％であり、第２前段噴射による噴射量は、全噴射量の１５％であり、主噴射の噴射量は、全噴射量の８０％である。そして、オゾン添加は、主噴射の後に実行される。
【０１１１】
ここで、オゾン添加は、圧縮上死点以降の筒内温度が所定の温度を下回ったときに実行される。この所定の温度は、オゾン添加が無くても、燃料の自己着火燃焼が可能な温度である。つまり、実施形態１において圧縮上死点から主噴射による燃料が着火するまでの筒内温度の変動を前段噴射によって所定の温度幅に維持する際の下限値に相当する温度である。つまり、圧縮上死点以降の筒内温度を前段噴射によって維持するだけでは主噴射による燃料の自己着火燃焼が困難な状況において、オゾンが添加される。
【０１１２】
尚、オゾンの添加時期は、これに限られるものではない。圧縮上死点以降の筒内温度が所定の温度を下回る前にオゾンを添加してもよい。筒内温度が所定の温度以上であっても、膨張行程が進んで筒内圧力が低下すると、燃料が自己着火燃焼し難くなる。そのため、圧縮上死点以降の筒内温度が所定の温度以上であっても、オゾン添加を行うことにより燃焼の自己着火燃焼をアシストするようにしてもよい。
【０１１３】
このような噴射形態においては、主として第１前段噴射の噴射量によって圧縮上死点における筒内温度が調整され、主として第２前段噴射の噴射量によって筒内温度を略一定に維持する期間の長さが調整される。そして、主燃焼の噴射タイミングを一定とした場合には、主としてオゾンの添加時期（発生時期）及び濃度によって主燃焼のリタード量が調整される。詳しくは、オゾンの添加時期を遅くするほど、主燃焼の着火時期は遅くなる（図中の一点鎖線）。また、オゾンの濃度を大きくするほど、主燃焼の着火時期は早くなる（図中の二点鎖線）。尚、実際には、主燃焼のリタード量は、第２前段噴射の噴射量、主燃焼の噴射時期並びにオゾンの添加時期及び濃度を変更することによって調整される。
【０１１４】
また、エンジン制御器２００は、オゾンの添加時期をエンジン回転数が小さいほど遅角させる。
【０１１５】
さらに、エンジン制御器２００は、オゾンの添加時期をエンジン負荷が高いほど遅角させる。
【０１１６】
オゾンの添加時期が遅角されると、主燃焼のリタード量が大きくなる。エンジン負荷が大きいほど、筒内の圧力上昇率が大きくなり、振動騒音レベルが高くなる。そこで、エンジン負荷が高いほど、オゾンの添加時期を遅角させ、主燃焼のリタード量を大きくしている。こうして、主燃料のリタード量を大きくすることによって、燃焼時の圧力上昇率を低減し、高負荷時の振動騒音レベルを低減している。
【０１１７】
したがって、エンジン２０１は、上記シリンダ１１内にオゾンを発生させるオゾン発生器３１をさらに備え、上記エンジン制御器２００は、上記主噴射の後に上記オゾン発生器３１にオゾンを発生させる。
【０１１８】
この構成によれば、主噴射による燃焼の着火をオゾンによってアシストすることができる。例えば、リタード期間が長い場合には、筒内温度が低下しているので、着火し難くなる。そのような場合には、オゾンを添加することによって燃料の着火を容易にすることができる。
【０１１９】
《その他の実施形態》
以上のように、本出願において開示する技術の例示として、上記実施形態を説明した。しかしながら、本開示における技術は、これに限定されず、適宜、変更、置き換え、付加、省略などを行った実施の形態にも適用可能である。また、上記実施形態で説明した各構成要素を組み合わせて、新たな実施の形態とすることも可能である。また、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１２０】
上記実施形態について、以下のような構成としてもよい。
【０１２１】
上記エンジンは、一例に過ぎない。例えば、エンジン運転状態の全領域において自己着火燃焼させるエンジンに限るものではない。
【０１２２】
また、上記実施形態では、燃焼室１７及び吸気ポート１８の断熱構造を採用するとともに、気筒内（燃焼室１７内）にガス層による断熱層を形成するようにしたが、燃焼室１７及び吸気ポート１８の断熱構造を採用しないエンジンや、ガス層による断熱層を形成しないエンジンにも本技術を適用することができる。
【０１２３】
圧縮上死点以降の筒内温度の変動が収められる温度幅は、１００度に限られるものではない。燃料の異常燃焼を防止し且つリタードさせた自己着火燃焼を可能にする温度幅であれば、９０度や１１０度等、それ以外の値であってもよい。
【０１２４】
同様に、筒内温度の変動が所定の温度幅に収められている間の筒内温度は、１０００〜１１００Ｋに限られるものではない。燃料の異常燃焼を防止し且つリタードさせた自己着火燃焼を可能にする温度であれば、９５０〜１１００Ｋ、１０００〜１１５０Ｋ、１１００〜１２００Ｋ等、それ以外の値であってもよい。
【０１２５】
また、上記実施形態では、前段噴射を第１前段噴射と第２前段噴射とに分割しているが、これに限られるものではない。前段噴射を１回だけ行うものであってもよい。その場合、前段噴射の噴射量を、時間と共に変化させてもよい。例えば、前段噴射の噴射量が徐々に増加するように調整してもよい。
【産業上の利用可能性】
【０１２６】
以上説明したように、ここに開示された技術は、直噴ガソリンエンジンについて有用である。
【符号の説明】
【０１２７】
１，２０１      エンジン
３１    オゾン発生器
３３    インジェクタ
１００，２００  エンジン制御器（制御部）
【図１】
2015102058.tif 000003
【図２】
2015102058.tif 000004
【図３】
2015102058.tif 000005
【図４】
2015102058.tif 000006
【図５】
2015102058.tif 000007
【図６】
2015102058.tif 000008
【図７】
2015102058.tif 000009
【図８】
2015102058.tif 000010
【図９】
2015102058.tif 000011
【図１０】
2015102058.tif 000012
【図１１】
2015102058.tif 000013